(57)【要約】【課題】景品取得ゲーム装置において、景品展示室の底面にジャッキを配置し、上げ底の中板を載せて、景品展示室を高さ調整可能な昇降体及び中床昇降装置を提供する。【解決手段】内部に雌ネジ１４ａを有すると共に該雌ネジ１４ａの軸方向に連接する略透明で該雌ネジ１４ａの反対側に第１の装着部１２を有する筒体１１と、前記雌ネジ１４ａに螺合して前記雌ネジ１４ａの軸方向に出入り可能で、前記雌ネジ１４ａから露出する端部に第２の装着部２１を設けた雄ネジを有するスクリュー体２０とを備えた昇降体１０としてあり、さらに中床の取付部に前記昇降体１０の装着部２１を取付けて昇降する中床昇降装置を提供する。【選択図】図３
2007276968.tif 000002
【特許請求の範囲】
【請求項１】
内部に雌ネジを有すると共に該雌ネジの軸方向に連接する略透明で該雌ネジの反対側に第１の装着部を有する筒体と、
前記雌ネジに螺合して前記雌ネジの軸方向に出入り可能で、前記雌ネジから露出する端部に第２の装着部を設けた雄ネジを有するスクリュー体と、
を備えたことを特徴とする昇降体。
【請求項２】
内部に雌ネジを有すると共に該雌ネジの軸方向に連接する略透明で内径が前記雌ネジの谷の径より大で雌ネジの反対側に第１の装着部を有する筒体と、
前記雌ネジに螺合して前記雌ネジの軸方向に出入り可能で、前記雌ネジから露出する端部に第２の装着部を設けた雄ネジを有するスクリュー体と、
を備えたことを特徴とする昇降体。
【請求項３】
内部に雌ネジを有する略透明素材で構成され一端面に第１の装着部を有する筒体と、
前記雌ネジに螺合して前記雌ネジの軸方向に出入り可能で、前記雌ネジから露出する端部に第２の装着部を設けた雄ネジを有するスクリュー体と
を備えことを特徴とする昇降体。
【請求項４】
内部に雌ネジを有し、前記雌ネジの一部が軸方向に切欠した少なくとも一条の溝を有する略透明素材で構成され一端面に第１の装着部を有する筒体と、
前記雌ネジに螺合して前記雌ネジの軸方向に出入り可能で、前記雌ネジから露出する端部に第２の装着部を設けた雄ネジを有するスクリュー体と、
を備えことを特徴とする昇降体。
【請求項５】
請求項１乃至４の何れか１つにおいて、雌ネジの軸心線上の第１または第２の装着部の外面にネジ溝を有する、
ことを特徴とする昇降体。
【請求項６】
請求項１乃至４の何れか１つにおいて、雌ネジの軸線上の第１または第２の装着部の外面にネジ溝を有する突出部を設けた、
ことを特徴とする昇降体。
【請求項７】
請求項1乃至４の何れか１つにおいて、筒体には軸方向に沿って目盛を付したマーカーを設けた、
ことを特徴とする昇降体。
【請求項８】
請求項１乃至６の何れかつにおいて、
さらに平面体を略水平に保つ位置に取付部を有する中床と、第１または第２の装着部を前記取付部に取付けた昇降体と、
を備えたことを特徴とする中床昇降装置。
【請求項９】
請求１乃至６の何れか１つにおいて、
さらに平面体を略水平に保つ適宜間隔を有して設けた複数の開口を有する中床と、ネジ溝を有する第１または第２の装着部を前記開口に装着した複数の昇降体と、
を有することを特徴とする中床昇降装置。
【請求項１０】
請求項８において、取付部は中床の下面に設け、該取付部から中床の下面に放射状に梁体を設け中床の下面を保持する、
ことを特徴する中床昇降装置。
【発明の詳細な説明】
【技術分野】
【０００１】
本発明は、景品取得ゲーム装置等において、景品展示室の底面にジャッキを配置し、上げ底の中板を載せて、景品展示室を高さ調整可能な展示床を昇降する昇降体及びその中床昇降装置に関する。
【背景技術】
【０００２】
従来からアミューズメントセンターで使用されるクレーンゲーム機では、中に景品を入れて営業に供する際に、景品展示室の床面にサイコロ形状の立方体を高さ方向に一つあるいは積重ねて配して、その上に景品展示室の床面に対応する形状のアクリルの中板を配して、上げ底にして、景品落下口までの壁面との高さを少なくし、景品の掴み方が中途半端でも景品落下口の壁面を乗り越えられようにして、より景品を取りやすくして、顧客に景品取得の期待感を高めることが行われている（例えば特許文献１参照。）。
【０００３】
一方、ショーケースの展示台を昇降させる展示装置として、展示台をパンタグラフ機構により操作スイッチにより昇降する展示装置が開示されている（例えば特許文献２参照。）。
また、劇場等の昇降床を駆動する床昇降装置において、複数のネジジャッキで昇降床を支持し、各ネジジャッキにスプロケットを設け、チェーンで連結して、各ネジジャッキを同期してモータ駆動で昇降させる昇降床装置が開示されている（例えば特許文献３参照。）。
【０００４】
【特許文献１】意匠登録第５０６５９８号公報
【特許文献１】特開平１１−１５５７０６号公報
【特許文献２】特開平０９−２６８７８４号公報
【発明の開示】
【発明が解決しようとする課題】
【０００５】
特許文献１では、立方体の高さ単位でしか中床の高さが変更できず、途中の高さにすることはできなかった。
特許文献２では、閉店時に展示品を保管部に収納する防盗性を備えた展示装置であり、展示台はパンタグラフ機構により保管部に電動で下降して収納される構造であり、複雑であると言わざるを得ない。
また、特許文献３では、ストロークの短い昇降床に適し、水平を保ちつつネジジャッキで床フレームを安定的に昇降させるのであるが、各ネジジャッキにスプロケットを設け、チャーン駆動で同期駆動する構造であり、やはり構造が複雑にならざるを得ないのである。
【０００６】
そこで、本願は、商品展示室の床面の高さを短時間で簡単な構造で高さ調整ができる上げ底ジャッキ装置を提供することにある。
【課題を解決するための手段】
【０００７】
本願発明では上記課題を解決すべく、内部に雌ネジを有すると共に該雌ネジの軸方向に連接する略透明で該雌ネジの反対側にベース体である第１の装着部を有する筒体と、
前記雌ネジに螺合して前記雌ネジの軸方向に出入り可能で、前記雌ネジから露出する端部に頭部である第２の装着部を設けた雄ネジを有するスクリュー体と、
を備え昇降体としてある。
【０００８】
上記発明により、略透明で例えば円筒である筒体の端にある雌ネジに螺合するスクリュー体を外部から視認しながら、昇降させることができ、目標の高さを容易に見極めることができる昇降体となっているのである。
【０００９】
さらに本願発明では上記課題を解決すべく、内部に雌ネジを有すると共に該雌ネジの軸方向に連接する略透明で内径が前記雌ネジの谷の径より大で該雌ネジの反対側にベース体第１の装着部を有する筒体と、
前記雌ネジに螺合して前記雌ネジの軸方向に出入り可能で、前記雌ネジから露出する端部に頭部である第２の装着部を設けた雄ネジを有するスクリュー体と、
を備えた昇降体としてある。
【００１０】
上記発明により、雌ネジに連接する略透明で該雌ネジの谷の径より大の内径を有する筒体に螺合する好くシュー体を筒体の外部から視認しながら昇降させることができ、この際に略透明な雌ネジの谷の径より大の内径を有する筒体の内壁にはスクリュー体が昇降時に摺れることなく、透明性保たれ、目標の高さを容易に見極められるのである。
【００１１】
さらに本願発明では、上記課題を解決すべく、内部に雌ネジを有する略透明素材で構成され一端面にベース体である第１の装着部を有する筒体と、
前記雌ネジに螺合して前記雌ネジの軸方向に出入り可能で、前記雌ネジから露出する端部に頭部である第２の装着部を設けた雄ネジを有するスクリュー体と、
を備えた昇降体としてある。
【００１２】
上記発明により、略透明素材で構成された筒体の雌ネジに螺合するスクリュー体が視認できるので、昇降の際の目標の高さを容易に確認することができる。
【００１３】
さらに尚、本願発明では、上記課題を解決すべく、内部に雌ネジを有し、前記雌ネジの一部が軸方向に切欠した少なくとも一条の溝を有する略透明素材で構成され一端面にベース体である第１の装着部を有する筒体と、
前記雌ネジに螺合して前記雌ネジの軸方向に出入り可能で、前記雌ネジから露出する端部に頭部である第２の装着部を設けた雄ネジを有するスクリュー体と、
を備えた昇降体としてある。
【００１４】
上記発明により、雌ネジが切られた筒体の内壁に該雌ネジが切欠した少なくとも一条の溝があるので、該溝部分は透明性が高まり、外部から内部のスクリュー体をよく視認することができる。
【００１５】
さらに尚、本願発明では、上述したいずれかの発明において、雌ネジの軸心線上の第１または第２の装着部の外面にマイナスやプラス溝等のネジ溝を有する昇降体としてある。
【００１６】
上記発明により、昇降操作を行なう際に、装着部のネジ溝にドライバーを用いて回すことにより昇降させることが可能となる。
【００１７】
さらに尚、本願発明では上記課題を解決するために、上述したいずれかの発明において、雌ネジの軸線上の第１または第２の装着部の外面にマイナスやプラス溝等のネジ溝を有する突出部を設けた昇降体としてある。
【００１８】
上記発明により、昇降操作を行なう際に、装着部を昇降させる物体にあてがい、突出部に設けたネジ溝にドライバーをあてがい回すことにより昇降沿うアを行うことが可能となる。
【００１９】
さらに尚本発明では上記課題を解決すべく、上述したいずれかの発明において、筒体には軸方向に沿って目盛を付したマーカーを設けた昇降体としてある。
【００２０】
上記発明により、筒体の軸方昇降操作を行なう際に、筒体の例えば内側や外側に軸方向に沿って目盛を付したマーカーと設けてあるので、筒体を透過して見える筒体内部のスクリュー体の端部とマーカーを比較することで、スクリュー体の昇降高さが視認することができ、昇降操作時の目安とすることができ、高さ調整が容易に行うことが可能となる。
【００２１】
さらに本願発明では上記課題を解決するべく、上述した1乃至６の何れかの発明において、さらに平面体を略水平に保つ位置に取付部を有する中床と、第１または第２の装着部を前記取付部に取付けた昇降体と、
を備えた中床昇降装置としてある。
【００２２】
上記発明により、昇降体の第１の装着部と第２の装着部の距離を任意に設定し、中床の取付部に第１または第２のネジ溝を有する装着部を取付けることで、中床の高さを変更することができる。
【００２３】
さらに本願発明では、上記課題を解決するべく、上述した１乃至６の何れかの発明において、さらに平面体を略水平に保つ適宜間隔を有して設けた複数の開口を有する中床と、ネジ溝を有する第１または第２の装着部を前記開口に装着した複数の昇降体と、を有する中床昇降装置としてある。
【００２４】
上記発明により、昇降体の第１または第２のネジ溝を有する装着部を中床の開口の下側から装着することで、開口の上部からドライバーで前記ネジ溝を回すことで、中床の高さを昇降させることができるのである。その際に、各開口の昇降体の高さは、略透明の筒体の内部のスクリュー体を視認しながら高さ調整を行うことができ、中床を水平位置にしたり、傾斜させたりと任意に設定できるのである。
【００２５】
さらに本願発明では、上記課題を解決するべく、上述した第８の発明において、取付部は中床の下面に設け、該取付部から中床の下面に放射状に梁体を設け中床の下面を保持する中床昇降装置としてある。
【００２６】
上記発明により、中床は一つの昇降体であるジャッキで高さ調整が可能となり、中床の裏側に放射状に掛け渡した梁体により、物品を中床に載置した場合の荷重を梁で支えることができ、中床が撓むことを防止できるのである。
【発明の効果】
【００２７】
本願は特に昇降ストロークの短い昇降床に適し、構造が簡単で安価に製造可能であり、展示する景品の大きさが変わっても、簡単に中床の高さ調整が可能となるのである。特に中床を水平に昇降させる際の目安があるので、中床が傾いて調整するようなことを防ぐことができ、しかも簡単な構造の展示室の上げ底昇降装置となっている。これにより、短時間で景品取得の難易度調整ができるのである。
【発明を実施するための最良の形態】
【００２８】
以下、本発明に係る上げ底昇降装置の実施形態を図面に示した実施例を参照して詳細に説明する。本実施では昇降体としてスクリュー式のジャッキ機構を基に説明する。
【実施例１】
【００２９】
本願実施例を図面に基づき詳細に説明する。
以下、本発明の実施の形態を図面に基づいて説明する。なお、実施形態では景品取得ゲーム装置の景品展示室の床面を昇降させる上げ底昇降装置について説明するが、本発明は景品取得ゲーム装置に限らず、同様な機能を必要とする商品展示台であれば本発明の適用を受ける。
【００３０】
図１は、本願に係る景品取得ゲーム装置の外観の構成を示す斜視図である。図２は、景品取得ゲーム装置に設置した中床を支えるジャッキを示した斜視図である。図３はジャッキの断面図を示している。
【００３１】
景品取得ゲーム装置１００には、直方体の基台１の上に箱型の景品展示室２が設けられている。一方、基台１の手前側には、プレーヤがプレイするための操作卓３が設けられている。この操作卓２には、景品展示室２の内部上方から吊り下げられた左右２つの各クレーン部４を操作する操作スイッチ３ａ、３ｂが操作卓３の左右にそれぞれ設けられ、それぞれ左右のクレーン部３を操作する。クレーン部４は、内部上面から鉛直方向に吊り下げられた伸縮パイプからなる支持部４ａと、その下端に設けられた把持部４ｂとから構成されている。
【００３２】
各操作スイッチ３ａ、３ｂは、クレーン部４を横方向の所定の位置に停止させるための操作スイッチ３ａと、操作スイッチ３ａにより横方向の所定の位置が決定されたクレーン部３を、縦方向の所定の位置に停止させるための操作スイッチ３ｂとからなる。また、操作卓３には、プレイの際にプレーヤがコインを投入するコイン投入口３ｃが左右に設けられている。さらに、基台１の下方左右には、景品の取出口５が設けられている。
これらにより、景品取得ゲーム装置１００は、正面からみて左右に分かれており、左右それぞれ独立して操作することができる。
【００３３】
景品展示室２の前面２ａ及び側面２ｂ、２ｃは、透明な硬質樹脂またはガラスの板状部材によって構成されている。また、景品展示室２の背面２ｄは、板状部材から構成されている。
景品展示室２の底面６の左右手前にはそれぞれ、景品Ｐを受けるための景品投入部７が景品展示室の床面６から所定高さの壁面７ａで遮られている。
このような景品展示室２には、景品８としての縫いぐるみ８ａや、景品が入った箱８ｂが多数展示されている。  
【００３４】
ここで、床面６の左右を分割して、幅８０ｃｍ、奥行き６９ｃｍ方形板を景品投入部の壁面７ａにあわせて切欠いた形状より一回り小さい面積を有する厚さ５ｍｍ程の透光性のアクリル板が中床として用いられ、床面６と中床６の間に複数のジャッキ１０が設置されている。
中床９は図２に示す通り、景品展示室の床面６に中床の荷重を支持すべく、適切な位置に設置された４ケのジャッキ１０の位置に対応して径１ｃｍ程の穴９ａが４ヶ所開口している。適切な位置とは例えば後方２ヶ所、前方２箇所である。
【００３５】
図３はジャッキの断面図であり、図３（Ａ）はジャッキを縮めた断面図であり、図３（Ｂ）はジャッキを伸ばした断面図を示している。
ジャッキ１０は縮めた高さが１５ｃｍ程で、アクリル樹脂等の透明あるいは透光性のある硬質樹脂の円筒体１１の下側に該円筒体１１を支える径が5ｃｍで厚さ１ｃｍの円盤状のベース体１２を有しており、昇降体２０が該円筒体１１に螺着されている。
【００３６】
円筒体１１の上面の出入口１３と連なる下方へ延びる孔部１４には、上方側に雌ネジ１４ａが切ってある。
そして円筒体の孔部１４の雌ネジ１４ａの下方側は、雌ネジ１４ａの谷の径より径が広くなった広径部１４ｂとなっている。これにより、雌ネジ１４ａに螺合する昇降体２０に設けた雄ネジ２０ａが円筒体１１の内壁に触れることがない。
円筒体１１の広径部１４ｂの側面の縦方向に目盛１５を設けてマーカーとしてある。
【００３７】
そして、出入口１３には、単三乾電池形状で側面に雄ネジ２０ａを切った昇降体２０が螺装され、単三乾電池のプラス極に相当する頭部２１は径が９ミリで、高さ５ミリほどで中央には２ミリ幅のマイナス溝であるネジ溝２２を有している。このネジ溝２２はプラス溝や、特殊形状のネジ溝でもよう、昇降体２０が回転する際の軸心線上にあればよい。
昇降体２０の頭部２１の裾部２３のドーナツ状の面は、テフロンしーとやフェルト等の滑りやすい材質のリング状のシール２４が貼ってあれば、中床の底部に当接して高さ調整させ際の回転時に滑り、尚さら好都合である。
【００３８】
景品には様々な大きさがあるが、景品投入部の７の壁面７ａの高さは一定であるため、クレーン部の把持部３ｂでわずかに掴んだ景品８では引きずるようにして中床９を移動して景品投入７部に差し掛かるが、この際に景品投入部７の壁面７ａを乗り越えられず、景品を取得するのが難しくなるので、中床９を適切な高さにすることで、こうした場合でも景品８が壁面７ａを乗り越えて景品投入部７に投入されるようにする必要がある。    
【００３９】
ジャッキ１０は、景品展示室の床面６の適切な位置に複数設置し、中央で左右に分割されている中床９のそれぞれを支持して中床９を適切な高さに合わせる。
そのために予めジャッキの高さを昇降体の螺子を回してある程度高さをあわせておき、中床の穴９ａに対応する景品展示室の床面６にジャッキ１０をそれぞれ載置した後に、各ジャッキの頭部に中床の各穴に嵌まるように静かに中床を置く。これにより、ジャッキ１０の昇降体の頭部２１は中床の穴９ａに入り、頭部２１の下側の裾部２３は中床の穴９ａのした縁に当接し、中床９の荷重を昇降体２０に掛け、昇降体２０はベース体１４に螺装されており、ベース体１４が床面６に接し、中床９を支持する。
【００４０】
あるいは、ジャッキ１０のスクリュー体を雌ネジの内側に入れておき、雌ネジの外端の端面に沿ってリング状の両面テープを貼り付けておき、中床の穴９ａに両面テープの剥離紙を剥がして、突出部を開口に挿入させて、必要な数のジャッキ１０を同様に中床９に両面テープの粘着力で仮留する。
必要な数のジャッキ１０が中床の穴９ａに仮止めされたなら、円筒体１１のベース体１４の裏側に設けた両面テープの剥離紙を剥がし、複数のジャッキ１０が仮止めされた中床を設置する床面に載置して固定した後、中床の開口の上方からドライバーをネジ溝に差し込んで回し、スクリュー体を昇降させる。この際に円筒体１１の内部が透過して視認することができ、高さ調整の目安とする。
【００４１】
上記のように中床９の穴９ａのそれぞれにジャッキ10の頭部１２を嵌めることで、中床９は床面６に略水平にジャッキ10に載置される。このあと、中床の穴９ａの上側からマイナスのドライバーを差し入れて、ジャッキの昇降体２０の頭部のマイナス溝に嵌めて、昇降体２０を回して高さの微調整をする。この際にジャッキの円筒体の広径部１４ｂでは、昇降体の雄ネジ２０ａが触れることなく回転し、円筒体の材質が透明あるいは透光性の硬質樹脂であることにより、円筒体の内部にある昇降体の雄ネジ２０ａを視認することができる。ここで、円筒体の広径部１４ｂの側面目盛１５となるマーカーを設けておくことで、昇降体２０の下端の位置と比較することで、昇降体２０の昇降位置が確認できるのである。
これにより、複数のジャッキの高さを調整する際に、中床９を当初の目標高さ位置で略水平に位置させたり、ある程度の傾斜をつけることが可能となる。
【００４２】
さらに中床の高さを変更するには、景品をある程度取り外したのち、中床の穴９ａにドライバーを差し入れて、と昇降体の頭部の螺子溝に嵌めて、調整方向にドライバーを回す。この場合に、少しずつ昇降体20を上げ、あるいは下げて、各ジャッキの昇降体２０をそれぞれ回して、高さ調整をするのである。
この際に中床の開口にジャッキの頭部の突出部が遊嵌して回転するので、ジャッキの突出部が開口からずれることがなく、頭部の周囲の裾部２３で中床の開口の下縁を受けながら回転する。
【００４３】
ジャッキの頭部に突出部を設けず、頭部の軸心部にネジ溝のみがある場合では、中床の開口を下側がジャッキの頭部の径よりやや大きい径で開口の中央部がネジ溝を回すことができる程度の小さい径のある開口とすることで、ジャッキの頭部を下側の大径の開口に摺接させて中床を保持して、中床の上部の小径の開口側からドライバーでジャッキの頭部のネジ溝を回してジャッキを昇降させるのである。
【００４４】
なお、ジャッキ自体が透明あるいは多少色のついた透光性の硬質樹脂でできているので、昇降体20の底部の位置が円筒体の広径部１４ｂ部分で透けて見え、ジャッキ１０の側面に付した目盛１３を見ながら高さをあわせることで、目標の高さ位置にあわせることができる。
勿論、目盛はなくとも雌ネジ１４ａの下側にある昇降体の雄ネジの長さやネジ山を数えることで、昇降体の長さが分かる。円筒体は透明あるいは透光性素材で出来ていても雌ネジ１４ａはネジを切っているので、透けて見えず、広径部１４ｂの部分が透けて円筒体の内部を視通すことが可能となっている。
【実施例２】
【００４５】
さらに図４には目標位置がより分かりやすくしたジャッキの部分斜視図を示す。このジャッキ３０は実施例１と同一であり、以下の説明では違う部分について説明する。
ジャッキ３０は透明あるいは透光性の硬質樹脂で成形されており、円筒体３１とスクリュー体３５から構成されている。
円筒体３１の内部の雌ネジ部３２が一部縦方向に沿って切欠した一条の縦溝面３３に適宜間隔で目盛となるマーカー３４が付されている。この縦溝面は透明あるいは透光性にしておき、円筒体の外部から内部を視認することができる。
スクリュー体３５の雄ネジ部３６の下端のネジ山下端４６ａから多少ネジ山を辿ってきた箇所に下向きに突起３７が設けてある。この場合突起３７は雄ネジが一回転近くにするまでに存在する。ここで、縦溝面３３は透明あるいは透光性を保ち、外部から内側が透けてみえ、スクリュー体３５の雄ネジ部３６が触れることがない。
【００４６】
従って、このスクリュー体３５を円筒体３１に螺挿すると、昇降体の螺子山の下端３６ａが円筒体４１雌ネジに螺合して螺合して螺挿される。この際に、雄ネジの突起３7により、雌ネジ３２の下端に圧力が加わるが、雌ネジの下側には雄ネジ部３６が存在しないので、多少は弾性変形しながらスクリュー体３５を螺挿することができ、円筒体の内部の雌ネジがない縦溝面３３に突起３７がくると、突起４７により雌ネジ３２に下方に加わっていた圧力が開放され、ドライバーの回し力が軽くなり、クリック感が生じ、さらに昇降体３５を回すと、突起３７は次の雌ネジ部３２に嵌り、再度、雌ネジのネジ山を下方に押圧しながら螺合しながら回る。
【００４７】
これにより、スクリュー体３５は、縦溝面３３に突起３７がさしかかる度に軽くなり、クリック感を生じ、これでスクリュー体３５を何回、回したかが手にクリック感として伝わり、ジャッキの高さ調整の目安となる。
さらに、円筒体３１の雌ネジ部３２に設けた縦溝面３３には目盛となるマーカー３４が付してあるので、このマーカー３４とスクリュー体３５の下端は略接する状態にあり、ジャッキ３０が透明あるいは透光性樹脂であるので、例えジャッキ３０を斜め上から見ても、マーカー３４と昇降体３５の下端がずれて見えることはなく、高さ調整に誤差が生じることが少ないのである。
尚、マーカー３４は、円筒体の内壁に付していれば、縦溝面３３でなくともよい。
【００４８】
この高さは例えば、図１で示す縫いぐるみでは、中床６の高さは景品８ａが容易に景品投入口に落ちないように壁部７ａより低い位置にあることが望ましい。これにより、クレーン部で景品を中途半端に掴んだ状態では、クレーン部が景品投入部７に景品を中床上を引きずって来た場合では、この壁部７ａを乗り越えられるか、どうかが景品が取れるかどうかの一つの山場となり、遊戯者にとり、この壁部７ａを動乗り越えるかが一つのゲーム性となり、取れなかった場合は再チャレンジ意欲を掻き立てることになる。
【００４９】
従って、この壁部７ｂと景品の大きさはおおいに関係があり、壁部７ｂが低いと、クレーン部が引きずってきた景品はそのまま取れてしまい、壁部７ｂが景品に対して高すぎるとクレーン部が引きずって来た景品は壁部７ｂにより景品投入部7と遮られ、取れないのである。
中床９が景品投入部７に向けて下り傾斜になっている場合は、クレーン部で中途半端に把持した景品でもなんとか、中床９を滑らして引っ張ってきやすいが、中床９が景品投入部７に向けて登り傾斜となっている場合では、クレーン部が中途半端に把持した景品では、引っ張って来づらくなるのである。このように中床を景品投入部に対してどのように傾斜させるかで、中床を滑らして景品を取得する場合の難易度が変わってくる。
【００５０】
そこで、景品の形状や大きさにより、中床を設けて高さを変えるたり、中床に傾斜をつけることで、その景品の取れ易さを調整することができるのである。例えば縫いぐるみ８ａより小さい景品の入った箱８ｂではその載面である中床９の高さを上げて、景品投入部７の壁面７ａの高さとの距離を小さくすることで、顧客に対し景品の取れ易さをアピールすることができる。
中床９が景品投入部に向けて下り傾斜になっており、且つ、景品投入部の壁面７ａが中床９と同一高さ以下であれば、景品の取得は容易となる。逆に中床が景品取得部に向けて登り傾斜で、かつ景品投入部の壁面７ａが中床から高くなっている場合は、クレーン部で景品をしっかりと把持して持ち上げる必要があり、景品取得が難しくなるのである。
【実施例３】
【００５１】
以下に本発明の上げ底ジャッキ装置の実施例３である。図５には、実施例３の中床の透過斜視図を示す。図６には本願の上げ底ジャッキ装置を適用した概略断面図を示す。
【００５２】
ここではジャッキは一つだけ使用して、中床を床面６から昇降させる。
中床４０の裏側には補強のために梁４１が張り渡されている。梁４１は中床４０の荷重の中心から放射状に中床の周辺部近傍まで設けてあり、中床に景品を載置した際の撓みを防止する。そのため、中床４０の荷重の中心にはジャッキの取付孔４２を頑強に設けてあり、梁４１と接合している。この取付孔４２にジャッキ５０のスクリュー５１の頭部を嵌め入れて、中床４０を水平に保つのである。例えば、中床の幅が８０ｃｍ、奥行きが７０ｃｍとすると、取付孔４２の中心からの梁の長さは対角線に４５ｃｍ、手前側に３０ｃｍ、横に３０ｃｍ程度である。
【００５３】
この上げ底ジャッキ装置は中床の荷重の中心に対応する位置の床面にジャッキ５０を載置してスクリュー体５１の高さを調整した後に、中床の裏面に設けたジャッキのスクリュー体５１を装着する取付孔にジャッキ５０のスクリュー体５１を装着し、中床５０を所定の高さに保持するのである。
図６（Ａ）はジャッキの昇降体を下上げた状態の断面図であり、図６（Ｂ）は昇降体を下げた状態の断面図を示している。床面６との中床９との間にジャッキ５０を位置させ、ジャッキ５０のスクリュー体５１をある程度露出させて、中床４０の取付孔体４２にジャッキ５０のスクリュー体５１を嵌めるのである。このときの中床９の高さをｈ１である。
そして取付孔の上部中央の中床にネジ孔４０ａを設けておき、ドライバーを中床４０の上方からあてがいスクリュー体５１のネジ溝５１ａを回して昇降させて高さｈ１をｈ２に変えることができる。
このようにすることで、ジャッキ６０が中床の中心の１ヶのみであるので、昇降動作が非常に簡単にできるのである。
【００５４】
尚、上記のいずれの発明でも中床又は、スクリュー式ジャッキ体を構成する円筒体や昇降体を透明あるいは透光性の硬質樹脂で構成するとしたが、強度を保つには、昇降体は金属製でもよく、透明あるいは透光性である必要は必ずしもない。透明あるいは透光性であるのは円筒体部分のみで十分であり、目盛と、内部の昇降体が目盛のどの位置にあるか視認できれば本願の意図を満たす。
【実施例４】
【００５５】
図７に実施例４の中床昇降装置の断面図を示す。この実施例４の配置換えは実施例１にも記載してあるが、上述したいずれの実施例にも当てはまる。
本実施例４の中床昇降装置６０では円筒体６１とスクリュー体６２の位置関係は、床面側をスクリュー体６２、中床６３を受ける方を円筒体６１としてもよく、この場合に円筒体６１は有底の装着部６１ａを設けて中床の取付部６４に取付ければよいのである。
ここでは、中床の取付部６４の開口を下側が装着部６１ａの頭部の径よりやや大きい径で開口の中央部がネジ溝６１ｂを回すことができる程度の小さい径のある開口とすることで、円筒体６１の頭部を下側の大径の開口に摺接させて中床６３を保持して、中床の上部の小径の開口側からドライバーでジャッキの頭部のネジ溝を回して円筒体を昇降させるのである。
【００５６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００５７】
【図１】本願に係る景品取得ゲーム装置の外観の構成を示す斜視図である。
【図２】景品取得ゲーム装置に設置した中床を支えるジャッキを示した斜視図である。
【図３】実施例１のジャッキの断面図である。
【図４】実施例２の目標位置がより分かりやすくしたジャッキの部分斜視図である。
【図５】実施例３の中床の透過斜視図である。
【図６】実施例３の上げ底ジャッキ装置を適用した概略断面図である。
【図７】実施例４の中床昇降装置の断面図である。
【符号の説明】
【００５８】
１００   景品取得ゲーム装置
１   基台
２   景品展示室
３   操作卓
４   クレーン部
５   景品取出口
６   床面
７   景品投入部
８   景品
９   中床
１０   ジャッキ
１１  出入口
１２  孔部 
１３  目盛
１４  ベース体
２０  昇降体 
２１  頭部
２２   螺子溝
２３  裾部
２４   シール
３０  ジャッキ
３１  円筒体
３２  昇降体
３３  縦溝面
３４  マーカー
３５  スクリュー体
３６  雄ネジ部
４０  中床
４１  梁
４２  取付孔
５０  ジャッキ
５１  スクリュー体
６０  中床昇降装置
６１  円筒体
６２  スクリュー体
６３  中床
６４  取付部
【図１】
2007276968.tif 000003
【図２】
2007276968.tif 000004
【図３】
2007276968.tif 000005
【図４】
2007276968.tif 000006
【図５】
2007276968.tif 000007
【図６】
2007276968.tif 000008
【図７】
2007276968.tif 000009